(57)【要約】【課題】製品生産ラインでの音評価用の防音室の検出力向上、並びに検査工程の自動化を図った、製品評価用防音室を提供する。【解決手段】防音室１の室内空間Ｓに、製品搬送パレット６上に検査対象製品Ｐを乗せて検査位置まで搬送されたとき、コンベア５側部に配置された、可動自動結線ユニット１０を、製品搬送パレット６上の固定側自動結線ユニット８と、制御指令手段１２の自動結線指令により、自動的に連結し、検査対象製品Ｐに対し、制御指令手段１２から駆動、制御情報を送信して製品Ｐを駆動させ、第１、第２マイクロフォン１３ａ，１３ｂにより動作音を拾い、判定手段１５により検査対象製品Ｐの良否判定を行うようにする。【選択図】図１
2008175776.tif 000002
【特許請求の範囲】
【請求項１】
検査対象製品（Ｐ）の生産ライン（Ｌ）中に、検査対象製品（Ｐ）を室外と遮音隔離して各種検査を行う室内空間（Ｓ）を設け、
この室内空間（Ｓ）における検査対象製品（Ｐ）に対し、各種制御情報を与えることができるように自動結線指令を与えると共に、前記検査対象製品（Ｐ）に対し各種制御情報を与える制御指令手段（１２）と、
与えられた制御情報によって動作する検査対象製品（Ｐ）から出力される動作情報を取得する取得手段（１３）と、
取得された動作情報に基づき前記検査対象製品（Ｐ）の良否判定を行う判定手段（１５）と、
を具備することを特徴とする製品評価用防音室。
【請求項２】
前記室内空間（Ｓ）は、吸音材または遮音材で構成した仕切壁（２）で仕切って構成し、
前記検査対象製品（Ｐ）の生産ライン（Ｌ）に沿って搬送手段であるコンベア（５）が配設され、
前記仕切壁（２）には、検査対象製品（Ｐ）の搬入搬出口を開閉可能に構成したことを特徴とする請求項１に記載の製品評価用防音室。
【請求項３】
前記検査対象製品（Ｐ）の生産ライン（Ｌ）におけるコンベア（５）は、室内空間（Ｓ）への搬入搬出搬送手段である第１、第３パレットコンベア（５ａ，５ｃ）と、
これら第１、第３パレットコンベア（５ａ，５ｃ）と前記搬入搬出口を挟んで製品受渡し可能につながり、前記室内空間（Ｓ）内にて配設される第２パレットコンベア（５ｂ）とを備えたことを特徴とする請求項１または２に記載の製品評価用防音室。
【請求項４】
前記搬入搬出口は、一つの開口部で兼用したことを特徴とする請求項３に記載の製品評価用防音室。
【請求項５】
吸音材または遮音材で構成した仕切壁（２）で構築され、
検査員が入室可能な略矩形状の室内空間（Ｓ）を有し、
前記仕切壁（２）における搬入搬出口に、前記検査対象製品（Ｐ）の搬出入可能とする、吸音材または遮音材で構成した入口シャッタ（３）、出口シャッタ（４）を設け、
室内空間（Ｓ）に製品（Ｐ）の搬出入を行うためのコンベア（５）は、入口シャッタ（３）を介して室内空間（Ｓ）に至る第１のパレットコンベア（５ａ）と、
室内空間（Ｓ）に掛け渡される第２のパレットコンベア（５ｂ）と、
出口シャッタ（４）を介して室外に延在する第３のパレットコンベア（５ｃ）で構成され、
これら第１、第２、第３パレットコンベア（５ａ，５ｂ，５ｃ）間には、搬走路を形成／遮断する第１〜第３可動ローラ（５ａｒ，５ｂｒ，５ｃｒ）を介装したことを特徴とする請求項２または３に記載の製品評価用防音室。
【請求項６】
前記コンベア（５）により搬送される検査対象製品（Ｐ）は、製品搬送パレット（６）に、個々に乗せられ、防音室（１）内へと搬入、搬出されるようにし、
この製品搬送パレット（６）上に、検査対象製品（Ｐ）と接続する製品接続用コネクタ（７）を設けて、この製品接続用コネクタ（７）と結線された固定側自動結線ユニット（８）を搭載し、
前記コンベア（５）側には可動自動結線ユニット（１０）を配置し、
この可動自動結線ユニット（１０）は、自動結線、及び駆動指令、制御指令を送出する制御指令手段（１２）と結線することを特徴とする請求項５に記載の製品評価用防音室。
【請求項７】
前記取得手段（１３）は、防音室（１）内の第２パレットコンベア（５ｂ）上の検査位置近傍に配置して、検査対象製品（Ｐ）を動作させたときの動作音を収集する第１、第２のマイクロフォン（１３ａ，１３ｂ）であり、
これら第１、第２マイクロフォン（１３ａ，１３ｂ）は、第１、第２マイクロフォン（１３ａ，１３ｂ）により収集された動作音を基に、データ処理、保存、良否判定を行う、判定手段（１５）と結線することを特徴とする請求項１に記載の製品評価用防音室。
【請求項８】
前記判定手段（１５）は、第１、第２マイクロフォン（１３ａ，１３ｂ）により収集された動作音を基に、データを処理し、規格値と比較し、良否判定を表示させる一方、トレーサビリティを確保するべく、結果を保存することを特徴とする請求項７に記載の製品評価用防音室。
【請求項９】
前記取得手段（１３）は、加速度センサであることを特徴とする請求項１に記載の製品評価用防音室。
【請求項１０】
前記取得手段（１３）は、振動計であることを特徴とする請求項１に記載の製品評価用防音室。
【請求項１１】
前記取得手段（１３）は、騒音計であることを特徴とする請求項１に記載の製品評価用防音室。
【発明の詳細な説明】
【技術分野】
【０００１】
本発明は、製品評価用防音室に関するもので、特に、製品生産ラインでの音評価用の防音室の検出力向上、並びに検査工程の自動化を図った、製品評価用防音室に関するものである。
【背景技術】
【０００２】
従来、生産ラインでの製品Ｐの評価手段として、異音検査を行うために、防音室を設け、専用の検査員が防音室内にこもり、つきっきりで検査作業を進めてきた。その場合、防音室内では、異音の検出能力を高めるために、特に、防音室内の静穏性を確保する様々な工夫がなされている。
例えば防音室内では、異音の検出能力を高めるために、特許文献１のように、ドアの開閉の衝撃音による検査員の聴感的、精神的苦痛のため、ドアを廃止し、さらには、周囲の騒音が大きい環境下でも、防音室内の騒音値を下げる手段を開示している。
【０００３】
【特許文献１】特開平７−６４５７１号公報
【０００４】
一方、特許文献２では、検査すべき製品Ｐの搬入、測定装置との連結、製品Ｐの性能測定、製品Ｐの搬出等の一連の自動化を図っている。
【０００５】
【特許文献２】特開平６−１３７９９８号公報
【発明の開示】
【発明が解決しようとする課題】
【０００６】
しかしながら、前者の特許文献１では、検査員の苦痛は軽減されると思われるが、隔離、閉鎖された個室で、音も立てられないような状況での長時間作業がある限り、検査員に対して大きな精神的負担がかかるのは、避けられない。
また、後者の特許文献２では、一連の工程の自動化を図るといっても、機械的な接続の自動化にすぎない。
本発明は以上のような課題を改善するために提案されたものであって、製品生産ラインでの音評価用の防音室の検出力向上、並びに検査工程の自動化を図った、製品評価用防音室を提供することを目的とする。
【課題を解決するための手段】
【０００７】
上記の課題を解決するために、請求項１に記載の発明では、検査対象製品（Ｐ）の生産ライン（Ｌ）中に、検査対象製品（Ｐ）を室外と遮音隔離して各種検査を行う室内空間（Ｓ）を設け、この室内空間（Ｓ）における検査対象製品（Ｐ）に対し、各種制御情報を与えることができるように自動結線指令を与えると共に、検査対象製品（Ｐ）に対し各種制御情報を与える制御指令手段（１２）と、与えられた制御情報によって動作する検査対象製品（Ｐ）から出力される動作情報を取得する取得手段（１３）と、取得された動作情報に基づき前記検査対象製品（Ｐ）の良否判定を行う判定手段（１５）とを具備する。
これにより、検査のために、室内空間（Ｓ）に入室する必要はなく、密室での長時間に亘る作業をなくすことができる。また、検査対象製品（Ｐ）に対し、制御情報を与えるための制御指令手段（１２）との結線作業を自動化することができるので、検査作業能率の向上を図ることができる。
【０００８】
なお、上記各構成要素、並びに以下に記載する各構成要素に付した括弧内の符号は、後述する実施形態記載の具体的手段との対応関係を示す一例である。
【０００９】
また、請求項２に記載の発明では、室内空間（Ｓ）は、吸音材または遮音材で構成した仕切壁（２）で仕切って構成し、検査対象製品（Ｐ）の生産ライン（Ｌ）に沿って搬送手段であるコンベア（５）が配設され、仕切壁（２）には、検査対象製品（Ｐ）の搬入搬出口を開閉可能に構成したことを特徴とする。
これにより、室外における騒音に左右されず、室内空間（Ｓ）において、検査対象製品（Ｐ）に対する検査工程を進めることができ、所望の検査精度を確保することができる。
【００１０】
また、請求項３に記載の発明では、検査対象製品（Ｐ）の生産ライン（Ｌ）におけるコンベア（５）は、室内空間（Ｓ）への搬入搬出搬送手段である第１、第３パレットコンベア（５ａ，５ｃ）と、これら第１、第３パレットコンベア（５ａ，５ｃ）とシャッタ（３，４）を挟んで製品受渡し可能につながり、室内空間（Ｓ）内にて配設される第２パレットコンベア（５ｂ）とを備えたことを特徴とする。
これにより、検査対象製品（Ｐ）の検査作業を、一連の生産工程中に行うことができ、検査作業の効率化は勿論、製品製造自体の効率の向上が期待できる。
【００１１】
また、請求項４に記載の発明では、搬入搬出口は、一つの開口部で兼用したことを特徴とする。これにより、製品評価用防音室１をよりシンプルに、且つ、遮音性、防音性を高めることができる。
【００１２】
また、請求項５に記載の発明では、吸音材または遮音材で構成した仕切壁（２）で構築され、検査員が入室可能な略矩形状の室内空間（Ｓ）を有し、仕切壁（２）における搬入搬出口に、検査対象製品（Ｐ）の搬出入可能とする、吸音材または遮音材で構成した入口シャッタ（３）、出口シャッタ（４）を設け、室内空間（Ｓ）に製品（Ｐ）の搬出入を行うためのコンベア（５）は、入口シャッタ（３）を介して室内空間（Ｓ）に至る第１のパレットコンベア（５ａ）と、室内空間（Ｓ）に掛け渡される第２のパレットコンベア（５ｂ）と、出口シャッタ（４）を介して室外に延在する第３のパレットコンベア（５ｃ）で構成され、これら第１、第２、第３パレットコンベア（５ａ，５ｂ，５ｃ）間には、搬走路を形成／遮断する第１〜第３可動ローラ（５ａｒ，５ｂｒ，５ｃｒ）を介装したことを特徴とする。
これにより、室内空間（Ｓ）に、室外からの騒音の侵入を抑制することができ、室内空間（Ｓ）を、音の評価検査のための好適な空間とすることができる。
また、入口シャッタ（３）、出口シャッタ（４）の開閉に合わせて、第１、第２、第３パレットコンベア（５ａ，５ｂ，５ｃ）間の第１〜第３可動ローラ（５ａｒ，５ｂｒ，５ｃｒ）を動作させることで、検査対象製品（Ｐ）の搬入搬出路が、形成／遮断され、検査対象製品（Ｐ）の搬入搬出の自動化が可能である。
【００１３】
また、請求項６に記載の発明では、コンベア（５）により搬送される検査対象製品（Ｐ）は、製品搬送パレット（６）に、個々に乗せられ、防音室（１）内へと搬入、搬出されるようにし、この製品搬送パレット（６）上に、検査対象製品（Ｐ）と接続する製品接続用コネクタ（７）を設けて、この製品接続用コネクタ（７）と結線された固定側自動結線ユニット（８）を搭載し、コンベア（５）側には可動自動結線ユニット（１０）を配置し、この可動自動結線ユニット（１０）は、自動結線、及び製品の駆動指令、制御指令を送出する制御指令手段（１２）と結線することを特徴とする。
これにより、検査対象製品（Ｐ）と制御指令手段（１２）との結線作業の自動化が可能となる。
【００１４】
また、請求項７に記載の発明は、取得手段（１３）は、防音室（１）内の第２パレットコンベア（５ｂ）上の検査位置近傍に配置して、検査対象製品（Ｐ）を動作させたときの動作音を収集する第１、第２のマイクロフォン（１３ａ，１３ｂ）であり、これら第１、第２マイクロフォン（１３ａ，１３ｂ）は、第１、第２マイクロフォン（１３ａ，１３ｂ）により収集された動作音を基に、データ処理、保存、良否判定を行う、判定手段（１５）と結線することを特徴とする。
これにより、検査対象製品（Ｐ）を動作させたときの動作音から、所定のデータ処理をすることにより、検査対象製品（Ｐ）の動作異常を示す異音にかかるデータを抽出することができる。異音にかかるデータから、その検査対象製品（Ｐ）が良品か否かを判定することができる。
【００１５】
また、請求項８に記載の発明は、判定手段（１５）は、第１、第２マイクロフォン（１３ａ，１３ｂ）により収集された動作音を基に、データを処理し、規格値と比較し、良否判定を表示させる一方、トレーサビリティを確保するべく、結果を保存することを特徴とする。
これにより、動作音を基に、所定のデータを処理し、規格値と比較してその検査対象製品（Ｐ）が良品か否かを表示することにより、検査対象製品（Ｐ）の識別が容易となる。
また、取得されたデータを記録しておけば、製品として出荷された際に、その後の追跡調査に供することができる。
【００１６】
さらに、請求項９〜１１に記載の発明として、取得手段（１３）としては、加速度センサ、振動計、あるいは騒音計を用いることもできる。
検査対象製品（Ｐ）を動作したときに得られる、動作音や振動を取得して、所定の処理をし、検査対象製品（Ｐ）の良否判定の他、様々な性能評価に供することができる。
【発明を実施するための最良の形態】
【００１７】
図１に、製品生産ラインＬ内に設置した、本発明にかかる製品評価用防音室１を示す。
この製品評価用防音室１は、既知の手法、吸音材や遮音材で構成した仕切壁２で構築されたもので、検査員が入室可能な程の略矩形状の室内空間Ｓが確保されている。
また、この防音室１には、図示は省略するが、検査員が出入りするためのドアが設けられている。
さらに、防音室１の互いに対向する側壁には、それぞれ、入口シャッタ３、出口シャッタ４が設けられ、後述するコンベアが貫通して、検査すべき製品Ｐを搬出入可能としている。この場合、入口シャッタ３、出口シャッタ４は、製品Ｐの移動に連動して左右に自動開閉するドアで、仕切壁２と同様に吸音材または遮音材により構成されている。これにより、室外からの音の侵入を抑える遮音性を確保している。
【００１８】
次に、以上のような製品評価用防音室１に製品Ｐを搬入搬出するコンベア５について説明する。
コンベア５は製品生産ラインＬに沿って設けられ、コンベア５は、製品評価用防音室１における入口シャッタ３を介して室内空間Ｓに至る第１のパレットコンベア５ａと、室内空間Ｓに掛け渡される第２のパレットコンベア５ｂと、出口シャッタ４を介して室外に延在する第３のパレットコンベア５ｃとで構成されている。
これら第１、第２、第３パレットコンベア５ａ，５ｂ，５ｃ間には、それぞれ入口シャッタ３、出口シャッタ４の開閉の妨げとならないように、且つ、製品Ｐの搬送に支障がないように、搬走路を形成／遮断する第１〜第３可動ローラ５ａｒ，５ｂｒ，５ｃｒを介装している。
【００１９】
次に、以上のようなコンベア５により搬送される検査対象製品Ｐは、製品搬送パレット６に、個々に乗せられ、防音室１内へと搬入、搬出されるようになっている。この際、製品Ｐは、製品搬送パレット６上において、各工程毎に部品が組み付けられ、次工程に送られるようになっている。
【００２０】
また、製品搬送パレット６上には、図２に示すように、検査対象製品Ｐと接続する製品接続用コネクタ７が設けられており、この製品接続用コネクタ７と結線された固定側自動結線ユニット８が搭載されている。固定側自動結線ユニット８には、所定のケーシングＣ８に所定間隔ごとに配設された複数の駆動／制御情報受信端子９が搭載されている。
【００２１】
一方、コンベア５側には、可動自動結線ユニット１０が配置されている。可動自動結線ユニット１０には、所定のケーシングＣ１０に所定間隔ごとに配設された複数の駆動／制御情報送信端子１１が搭載されている。そして、可動自動結線ユニット１０には、防音室１内に設置された自動結線、及び製品Ｐの駆動指令、制御指令を送出する制御指令手段１２と結線されている。
なお、固定側自動結線ユニット８における駆動／制御情報受信端子９と、可動自動結線ユニット１０における駆動／制御情報送信端子１１とは、検査時の振動などによる端子間の接触不良を防止するため、結合する方へ付勢するばね部材（図示省略）が設けられている。
【００２２】
製品搬送パレット６上に検査対象製品Ｐを乗せて検査位置まで搬送する際、検査対象製品Ｐに製品接続用コネクタ７を接続しておくことで、この検査対象製品Ｐが防音室１内の検査位置に搬送されたときに、コンベア５側部に配置された、可動自動結線ユニット１０における駆動／制御情報送信端子１１を、製品搬送パレット６上の固定側自動結線ユニット８における駆動／制御情報受信端子９に、制御指令手段１２の自動結線指令により、図示しない手段で、ばね部材の補助力下に自動的に連結することができる。
この状態で、検査対象製品Ｐに対し、制御指令手段１２から駆動指令、制御指令を送信して製品Ｐを動作させ、動作音から後述する手段で、動作異常を示す異音にかかるデータを抽出し、異音判定に供するようにしている。
なお、制御指令手段１２には、周知のパソコンを用いることができる。
【００２３】
次に、防音室１内の第２パレットコンベア５ｂ上の検査位置近傍には、検査対象製品Ｐを動作させたときに生じる、動作音を収集する第１、第２のマイクロフォン１３ａ，１３ｂが吊り下げられている。なお、これら第１、第２マイクロフォン１３ａ，１３ｂは、検査対象製品Ｐに搭載された可動部品（例えばモータ、リンク、送風機など）の位置が、組み込むべき最終製品の型によって異なることがあるために、その位置の違いからくる、動作音の取得条件の是正のために配設されている。
そして、これら第１、第２マイクロフォン１３ａ，１３ｂは、第１、第２マイクロフォン１３ａ，１３ｂにより収集された動作音を基に、データ処理、保存、良否判定を行う、判定手段１５と結線されている。
【００２４】
判定手段１５としては、周知のパソコンを用いることができる。
この判定手段１５においては、詳細は説明しないが、第１、第２マイクロフォン１３ａ，１３ｂにより収集された動作音（波形データ）を基に、例えば波形解析を行い、解析により捉えた不良品の特徴をパラメータとして、良否判定基準値を決め、この基準値を規格値として比較し、良否判定を表示したり、また、データを保存し、それぞれ対応したデータを基に、製品組み込み後の状態を追跡調査可能とする、トレーサビリティを確保したりするようにしている。
【００２５】
本発明にかかる製品評価用防音室１は、以上のように構成されるものであり、次にその作用を説明する。
先ず、検査すべき製品Ｐを防音室１内に送り込む際、製品生産ラインＬ中におけるコンベア５のうち、第１パレットコンベア５ａ上の製品搬送パレット６上に、検査対象製品Ｐを乗せる。
製品搬送パレット６上に検査対象製品Ｐを乗せる際、検査対象製品Ｐに製品接続用コネクタ７を接続しておく。
【００２６】
防音室１内に検査対象製品Ｐが搬入される際、先ず、入口シャッタ３が移動して入口が開放される。すると、第１パレットコンベア５ａと、室内空間Ｓに掛け渡される第２パレットコンベア５ｂ間の第１可動ローラ５ａｒと第２可動ローラ５ｂｒが上動して、製品搬送パレット６の受け渡しが可能な状態となる。
【００２７】
防音室１の室内空間Ｓに検査対象製品Ｐが搬入されると、今度は、第１パレットコンベア５ａと、第２パレットコンベア５ｂ間の第１、第２可動ローラ５ａｒ，５ｂｒが下降すると共に、入口シャッタ３が連動して入口を閉止することができる。
これによって、防音室１内外が吸音材、遮音材で構成された壁面、入口シャッタ３によって遮蔽され、防音室１内への音の侵入を抑制して、静穏性を確保することができ、異音検出の体制が確立される。この場合、室内空間Ｓには、暗騒音で３０ｄＢ程の静穏性を確保することができるので、小さな異音も動作音と共に、第２マイクロフォン１３ａ，１３ｂで捉えることができる。
【００２８】
製品搬送パレット６が第２パレットコンベア５ｂ上を移動して、防音室１内の検査位置に検査対象製品Ｐがもたらされると、コンベア５側部に配置された可動自動結線ユニット１０と、製品搬送パレット６上の固定側自動結線ユニット８とは、制御指令手段１２の自動結線指令により、自動的に連結することができる。すなわち、コンベア５側部に配置された、可動自動結線ユニット１０における駆動／制御情報送信端子１１を、製品搬送パレット６上の固定側自動結線ユニット８における駆動／制御情報受信端子９に、制御指令手段１２の自動結線指令により、ばね部材の補助力下に自動的に連結することができる。
このため、検査員が防音室１の室内空間Ｓに入って、結線作業を行う必要がなくなる。
そして、制御指令手段１２から検査対象製品Ｐに対し、駆動、制御情報を送信して製品Ｐを動作させる（モータ、リンク、送風機など）ことができる。
【００２９】
検査対象製品Ｐに駆動、制御情報が与えられ、検査対象製品Ｐが動作すると、検査対象製品Ｐから発する動作音は、検査位置近傍の第１、第２のマイクロフォン１３ａ，１３ｂによって捉えられ、判定手段１５において、第１、第２マイクロフォン１３ａ，１３ｂにより収集された動作音（波形データ）を基に、例えば波形解析を行い、解析により捉えた不良品の特徴をパラメータとして、良否判定基準値を決め、この基準値を規格値として比較し、良否判定を表示したり、また、結果を保存し、トレーサビリティを確保することができる。
【００３０】
このようにして、検査工程を経た検査対象製品Ｐは、防音室１内の出口シャッタ４直前にもたらされると、出口シャッタ４が開くと共に、第２パレットコンベア５ｂと第３パレットコンベア５ｃとの間の第２、３可動ローラ５ｂｒ，５ｃｒがそれぞれ連動上動して、第２パレットコンベア５ｂと第３パレットコンベア５ｃとの間で、製品搬送パレット６の受け渡しが可能となり、検査工程を経た検査対象製品Ｐを、防音室１外側に搬出することができる。
【００３１】
以上のように、防音室１内に搬入された検査対象製品Ｐは、吸音材、遮音材で構成された仕切壁２、入口シャッタ３および出口シャッタ４によって遮蔽された室内空間Ｓ、すなわち、暗騒音で３０ｄＢ程の静穏性を確保した検査位置にもたらされるので、異音検出などの検出力向上に寄与することができる。
また、検査位置においては、制御指令手段１２の自動結線指令により、自動的に連結することができ、さらに、制御指令手段１２から駆動、制御情報を送信して製品Ｐを駆動させることができるなど、検査員が防音室１内へ立ち入らなくても、一連の検査工程を実行することができ、検査員に対する、特に精神的負担など、人的負担の軽減を図ることができる。
【００３２】
以上、本発明にかかる製品評価用防音室１について、一実施例を挙げ、説明したが、本発明は、この実施例に限定されるものではない。
例えば、防音室１内に設けられた自動結線ユニットは、異音検査だけではなく、製品Ｐの作動、機能検査などの他の製品評価工程にも流用可能である。
その場合、検査対象製品Ｐから出力される動作情報は、動作音に限らず、振動を取り込むことができるように、取得手段１３として、加速度センサ、振動計、あるいは騒音計を用いることもできる。
【００３３】
また、動作音を捉える第１、第２のマイクロフォン１３ａ，１３ｂは、２本に限らず、検査対象製品Ｐに応じて、任意の数でよい。
【００３４】
また、防音室１のサイズは、勿論、検査対象の製品Ｐに合わせて変更可能である。すなわち、防音室１内の空間は、必ずしも検査員の出入り可能なサイズでなくてもよい。
この場合、自動結線指令、駆動、制御指令を送出する制御指令手段１２は、防音室１外に設置するとよい。
【００３５】
また、防音室１の形状は、入口シャッタ３から出口シャッタ４までが直線状でなくてもよい。例えば直角状でも、さらにはＵターン配置も可能である。Ｕターン配置とした場合には、出入口シャッタを共用化し、１箇所にすることも可能である。
【図面の簡単な説明】
【００３６】
【図１】本発明にかかる製品評価用防音室の一例を示す、模式的説明図である。
【図２】図１に示す製品評価用防音室において、製品搬送パレットとコンベア側に設けられた、自動結線ユニットの構成を示した、模式的な斜視説明図である。
【符号の説明】
【００３７】
１    製品評価用防音室
２    仕切壁
３    入口シャッタ
４    出口シャッタ
５    コンベア
５ａ    第１パレットコンベア
５ｂ    第２パレットコンベア
５ｃ    第３パレットコンベア
５ａｒ    第１可動ローラ
５ｂｒ    第２可動ローラ
５ｃｒ    第３可動ローラ
６    製品搬送パレット
７    製品接続用コネクタ
８    固定側自動結線ユニット
９    受信端子
１０    可動自動結線ユニット
１１    送信端子
１２    パソコン
１３ａ    第１マイクロフォン
１３ｂ    第２マイクロフォン
１５    パソコン
Ｓ    室内空間
Ｐ    製品
Ｌ    生産ライン
Ｃ８，Ｃ１０    ケーシング
【図１】
2008175776.tif 000003
【図２】
2008175776.tif 000004